(57)【要約】【課題】多くの水栓に対応し、膨張タンク等を用いずに急激な湯水の熱膨張等の発生を防止し、衛生面で安心して使用できる即時給湯装置を提供する。【解決手段】加熱装置６より出湯される湯水を送る給湯配管１０の下流に設けられ、加熱装置６内の暖房熱源部８からの循環水により間接的に加熱される即湯タンク１１と、即湯タンク１１より湯水を分配する給湯ヘッダー１２と、給湯配管１０の流れを検出する流量検出器２５と、即湯タンク１１内の湯水の温度を検出する温度検出器１８と、暖房熱源部８の動作を制御する制御部１７ａとを有し、温度検出器１８が検出した信号に応じて暖房熱源部８からの循環水の流量あるいは温度を変化させる保温運転を行うと共に、流量検出器２５が一定時間、給湯配管１０の流れを検出しない場合には保温運転を中止するように制御する。【選択図】  図１
2004156870.tif 000002
【特許請求の範囲】
【請求項１】
給湯機等の加熱装置より出湯される湯水を送る給湯配管の下流に設けられ、前記加熱装置内の暖房熱源部からの循環水により間接的に加熱される即湯タンクと、前記即湯タンクより湯水を分配する給湯ヘッダーと、前記給湯配管の流れを検出する流量検出器と、即湯タンク内の湯水の温度を検出する温度検出器と、前記暖房熱源部の動作を制御する制御部とを有し、前記温度検出器が検出した信号に応じて前記暖房熱源部からの循環水の流量あるいは温度を変化させる保温運転を行うと共に、前記流量検出器が一定時間、給湯配管の流れを検出しない場合には前記保温運転を中止するように制御する即時給湯装置。
【請求項２】
給湯機等の加熱装置より出湯される湯水を送る給湯配管の下流に設けられ、前記加熱装置内の暖房熱源部からの循環水により間接的に加熱される即湯タンクと、前記即湯タンクより湯水を分配する給湯ヘッダーと、前記給湯配管の流れを検出する流量検出器と、即湯タンクに循環する循環水の往き温度と戻り温度とを検出する温度検出器と、前記暖房熱源部の動作を制御する制御部とを有し、前記温度検出器が検出した信号に応じて前記暖房熱源部からの循環水の流量あるいは温度を変化させる保温運転を行うと共に、前記流量検出器が一定時間、給湯配管の流れを検出しない場合には前記保温運転を中止するように制御する即時給湯装置。
【請求項３】
前記流量検出器により一定時間給湯配管内の流量が検出されない場合は、リモコン等の操作部に外部表示する構成とした請求項１記載の即時給湯装置。
【請求項４】
前記流量検出器により一定時間給湯配管内の流量が検出されない場合は、リモコン等の操作部に外部表示する構成とした請求項２記載の即時給湯装置。
【発明の詳細な説明】
【０００１】
【発明の属する技術分野】
本発明は給湯配管に接続された水栓等より出湯される湯の温度が、配管の放熱等で低下した場合でも、即時加熱をして湯の温度を高温に保つ即時給湯装置に関するものである。
【０００２】
【従来の技術】
従来、給湯配管に接続された水栓等より出湯される湯の温度は、断続的に栓を開閉した場合に、給湯配管の放熱等で低下し、冷たい水が出たりして不快な思いをするという問題があった。そこで従来より図３に示すように示すような即時給湯装置が知られている（例えば、特許文献１参照。）。この即時給湯装置では、給湯機１の給湯配管２の下流にタンク３を設け、この中の湯水を電気ヒーター（暖房熱源部）４によって加熱することで、給湯配管２の放熱等で低下した湯水の温度を上昇させ、給湯配管２内の湯温低下の問題を解消している。５は、電気ヒーター４で加熱するために生じる急激な温度上昇による湯水の膨張を吸収する膨張タンクである。
【０００３】
【特許文献１】
特開平０１−２６６４６３号公報（第１図）
【０００４】
【発明が解決しようとする課題】
ところが上記従来の構成においては、タンク３内の湯水を加熱するのが電気ヒーター４であるため、加熱の能力に制限があり、１個の水栓等に対応するのが精一杯である。そのため複数個の水栓等に対応することは不可能であった。また、電気ヒーター４では、高温になるため部分的な温度の上昇が発生し、湯水の急激な熱膨張が発生するため、これを吸収する膨張タンク５等が必要であった。さらに、長時間給湯が使用されない場合にはタンク３内の湯水に雑菌が発生するおそれもあった。
【０００５】
【発明を解決するための手段】
本発明は、上記課題を解決するために、給湯機等の加熱装置より出湯される湯水を送る給湯配管の下流に設けられ、前記加熱装置内の暖房熱源部からの循環水により間接的に加熱される即湯タンクと、前記即湯タンクより湯水を分配する給湯ヘッダーと、前記給湯配管の流れを検出する流量検出器と、即湯タンク内の湯水の温度を検出する温度検出器と、前記暖房熱源部の動作を制御する制御部とを有し、前記温度検出器が検出した信号に応じて前記暖房熱源部からの循環水の流量あるいは温度を変化させる保温運転を行うと共に、前記流量検出器が一定時間、給湯配管の流れを検出しない場合には前記保温運転を中止するように制御する構成としたものである。
【０００６】
上記構成によれば、従来のような電気ヒーターでなく暖房熱源部からの循環水によって湯水を加熱するものであるため、多量の湯水を同時に使用しても対応が可能であり、給湯ヘッダーを有しているので、多くの水栓に対応可能である。そして、暖房熱源部からの循環水なので水温がほぼ一定であるため、従来のような膨張タンク等を用いなくても急激な湯水の熱膨張等の発生を防止できる。さらに、長時間給湯が使用されない場合には保温運転を中止することにより、衛生面でも安心して使用できる。
【０００７】
【発明の実施の形態】
本発明の請求項１記載の発明は、給湯機等の加熱装置より出湯される湯水を送る給湯配管の下流に設けられ、前記加熱装置内の暖房熱源部からの循環水により間接的に加熱される即湯タンクと、前記即湯タンクより湯水を分配する給湯ヘッダーと、前記給湯配管の流れを検出する流量検出器と、即湯タンク内の湯水の温度を検出する温度検出器と、前記暖房熱源部の動作を制御する制御部とを有し、前記温度検出器が検出した信号に応じて前記暖房熱源部からの循環水の流量あるいは温度を変化させる保温運転を行うと共に、前記流量検出器が一定時間、給湯配管の流れを検出しない場合には前記保温運転を中止するように制御する構成としたものである。
【０００８】
上記構成によれば、給湯主配管より即湯タンクまでの経路（通常は１０メートル以上あるため、長時間放置すると放熱により多量の湯水の温度が低下する。）で温度が低下した湯水は、即湯タンクに入る。このタンク内の湯水は暖房熱源部からの循環水により加熱され、温度が上昇した状態で給湯ヘッダーから各水栓等に分岐されて出湯する。また、即湯タンク内の湯水の温度は温度検出器により検出され、この温度に応じて循環水の温度あるいは流量を制御するように構成されているため、温度低下のレベルや流量に応じて適切に対応が可能である。さらに、長時間給湯が使用されない場合には保温運転を中止することにより、即湯タンク内の湯水に雑菌が発生することがなく、衛生面でも安心して使用できるものである。
【０００９】
本発明の請求項２記載の発明は、給湯機等の加熱装置より出湯される湯水を送る給湯配管の下流に設けられ、前記加熱装置内の暖房熱源部からの循環水により間接的に加熱される即湯タンクと、前記即湯タンクより湯水を分配する給湯ヘッダーと、前記給湯配管の流れを検出する流量検出器と、即湯タンクに循環する循環水の往き温度と戻り温度とを検出する温度検出器と、前記暖房熱源部の動作を制御する制御部とを有し、前記温度検出器が検出した信号に応じて前記暖房熱源部からの循環水の流量あるいは温度を変化させる保温運転を行うと共に、前記流量検出器が一定時間、給湯配管の流れを検出しない場合には前記保温運転を中止するように制御する構成としたものである。
【００１０】
上記構成によれば、往きと戻りの暖房循環水の温度変化より、即湯タンクの温度を推測して、流量あるいは温度を制御することにより暖房熱源部側で温度検出ができるので、その下流となる即湯タンク側への電気配線が不要になる。さらに、長時間給湯が使用されない場合には保温運転を中止することにより、即湯タンク内の湯水に雑菌が発生することを防止し、衛生面でも安心して使用できる。
【００１１】
本発明の請求項３記載の発明は、請求項１記載の即時給湯装置において、前記流量検出器により一定時間給湯配管内の流量が検出されない場合は、リモコン等の操作部に外部表示する構成としたものである。
【００１２】
上記構成によれば、請求項１に記載の即時給湯装置において、長時間給湯が使用されない場合にはリモコン等により注意喚起して使用者に知らせることにより、使用者側で保温運転のスイッチ等を切る等の中止操作ができ、衛生面でも安心して使用できるものである。
【００１３】
本発明の請求項４記載の発明は、請求項２記載の即時給湯装置において、前記流量検出器により一定時間給湯配管内の流量が検出されない場合は、リモコン等の操作部に外部表示する構成としたものである。
【００１４】
上記構成によれば、請求項２に記載の即時給湯装置において、長時間給湯が使用されない場合にはリモコン等により注意喚起して使用者に知らせることにより、使用者側で保温運転のスイッチ等を切る等の中止操作ができ、衛生面でも安心して使用できるものである。
【００１５】
【実施例】
以下、本発明の実施例について図面を用いて説明する。
【００１６】
（実施例１）
図１は、本発明の即時給湯装置の実施例１を示す全体構成図である。６は給湯暖房装置であり、給湯熱源部７と暖房熱源部８とを有している。９は水を給湯暖房装置に供給する給水管、１０は給湯熱源部７によって加熱された湯水を送る給湯配管、１１は給湯配管１０の下流に設けられた即湯タンク、１２は湯水を分配する給湯ヘッダー、１３は給湯管である。１４は暖房熱源部８からの循環水を通す循環加熱往き回路、１５は循環加熱戻り回路、１６は即湯タンク１１内の湯水を加熱する熱交換部であり、パイプの中を湯が通過しながら即湯タンク１１内の湯水に熱を伝えていくものである。１７は制御部１７ａを内蔵すると共に、外部に操作部１７ｂを有するリモコンであり、即湯タンク１１内に設けられた温度検出器１８が検出した即湯タンク１１内の湯水の温度検出信号に応じて、流量調整弁部２１を制御して暖房熱源部８からの循環水の流量を変えるものである。また、弁の開閉により循環水の流れる時間を調節したり、流量の代わりに循環水の温度を変える制御を行ってもよい。
【００１７】
さらに、制御部１７ａはリモコン１７に内蔵するリモコン形態の他に、給湯暖房装置６本体に内蔵する形態でも良い。１９は信号線である。２５は給湯暖房装置６内に設けられ、給水管９や給湯配管１０内の流れを検出する流量検出器である。
【００１８】
以上のように構成された即時給湯装置について、以下その動作、作用を説明する。図１において、給湯暖房装置６の給湯熱源部７によって加熱され、給湯配管１０を通って即湯タンク１１に入った湯水は給湯ヘッダー１２で分配され、給湯管１３により水栓等に送られる。このとき、湯水が連続して使用されている場合は、問題ないが、断続的に使用されると給湯配管１０の放熱により湯温は低下する。このとき、温度検出器１８が湯温の低下を検出すると、制御部１７ａにより流量調整弁部２１を制御して暖房熱源部８からの循環水の流量を変えることで、湯水に熱を伝え、低下した湯温を元に戻す。この結果、冷たい水が出ることなく、快適に湯を使うことができる。
【００１９】
また、長時間使用者が給湯を使用しない場合は、即湯タンク１１で長時間同じ水が加熱されることになり、衛生上はあまり好ましくない。そのため、保温運転中に流量検出器２５により、一定時間給湯配管１０内の流れが検出されない場合には給湯されていないと判断して保温運転を中止することにより、即湯タンク１１内に湯水に雑菌が発生することがなく衛生面でも安心して使用できる。
【００２０】
（実施例２）
図２は本発明の即時給湯装置の実施例２を示す全体構成図である。図２において、図１と同一機能を有する構成要素には同一符号を付し、その説明は簡略化する。
【００２１】
実施例２では、前記即湯タンク１１に循環する循環水の往き温度と戻り温度とを検知する温度検出器２２、２３を、それぞれ循環加熱往き回路１４と循環加熱戻り回路１５との給湯機の出口部分に設けている。２０は信号線である。実施例２においてもリモコン１７に制御部１７ａが内蔵され、外部に操作部１７ａが設けられている。
【００２２】
温度検出器２２、２３が検出した暖房循環水の温度変化より、即湯タンク１１の温度を推測して、循環水の流量あるいは温度を制御している。また実施例２においても、保温運転中に流量検出器２５により長時間給湯が使用されていないことを検出した場合には、保温運転を中止している。
【００２３】
上記構成により、暖房熱源部８側で温度検出ができるので、給湯機等の給湯暖房装置６内に全てを組み込むことにより、即湯タンク１１側への電気配線が不要になる。また、保温運転中に流量検出器２５により、長時間給湯が使用されていないことを検出した場合には、保温運転を中止することにより、衛生面でも安心して使用できるものである。
【００２４】
（実施例３）
本発明の実施例３として、流量検出器２５により一定時間給湯配管１０内の流量が検出されない場合は、リモコン１７の操作部１７ｂに外部表示する即時給湯装置を図１または図２を参酌して簡単に説明する。
【００２５】
実施例１または実施例２で説明した即時給湯装置において、長時間給湯が使用されない場合にはリモコン１７等により注意喚起して使用者に知らせることにより、使用者側で保温運転のスイッチ等を切る等の中止操作ができ、衛生面でも安心して使用できるものである。尚、この外部表示は、使用者に注意喚起できる箇所であれば、リモコン１７の操作部１７ｂに限定されない。
【００２６】
【発明の効果】
以上のように本発明によれば、給湯機等の加熱装置によって多量の湯水を同時に使用しても給湯ヘッダーを有しているので、多くの水栓に対応可能であると共に、暖房熱源部からの循環水なので水温がほぼ一定であるため、膨張タンク等を用いなくても急激な湯水の熱膨張等の発生を防止できる。また、長時間給湯が使用されない場合には保温運転を中止することにより、衛生面でも安心して使用できる。
【図面の簡単な説明】
【図１】本発明の実施例１または実施例３における即時給湯装置を示す全体構成図。
【図２】本発明の実施例２または実施例３における即時給湯装置を示す全体構成図。
【図３】従来の即時給湯装置を示す全体構成図。
【符号の説明】
６  給湯暖房装置（加熱装置）
８  暖房熱源部
１０  給湯配管
１１  即湯タンク
１２  給湯ヘッダー
１７  リモコン
１７ａ  制御部
１７ｂ  操作部
１８  即湯タンク内の湯水の温度検出器
２２、２３  循環水の温度検出器
２５  流量検出器
【図１】
2004156870.tif 000003
【図２】
2004156870.tif 000004
【図３】
2004156870.tif 000005